【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
鋼コーティングラインであって、
（ａ）ディップ槽であって、所定量の溶融金属が充填された耐火容器を含むものである、前記ディップ槽と、
（ｂ）ロールアセンブリであって、前記ロールアセンブリの少なくとも一部は、前記所定量の溶融金属に浸漬されるものであり、前記ロールアセンブリは、
（ｉ）両側から突出する２つのジャーナルを含むロールと、
（ｉｉ）一対のローラスリーブであって、各ローラスリーブは開口部を画定し、各ローラスリーブの前記開口部は、その内部に対応するジャーナルを受け入れるように構成され、各ローラスリーブの内径および対応する各ジャーナルの外径により隙間が画定されるものであり、各ローラスリーブの前記内径および対応する各ジャーナルの前記外径は、前記ロールおよび前記一対のローラスリーブが前記溶融金属によって加熱される際に前記隙間が残るように構成され、各ローラスリーブの前記内径および対応する各ジャーナルの前記外径は、さらに、前記隙間が前記隙間内の溶融金属の湿潤を防止するように構成されるものである、前記一対のローラスリーブと、
（ｉｉｉ）一対のベアリングブロックであって、各ベアリングブロックは、開口部を画定し、各ベアリングブロックの前記開口部は、対応するローラスリーブを、前記ローラスリーブ内に配置された対応するジャーナルとともに受け入れるように構成されるものである、前記一対のベアリングブロックと
を含むものである、前記ロールアセンブリと
を有する鋼コーティングライン。
【請求項２】
請求項１記載の鋼コーティングラインにおいて、各ジャーナルの少なくとも一部は、ねじ山を含むものである、鋼コーティングライン。
【請求項３】
請求項２記載の鋼コーティングラインにおいて、各ローラスリーブの前記内径は、対応するジャーナルの前記ねじ山に対応するねじ山を含むものである、鋼コーティングライン。
【請求項４】
請求項３記載の鋼コーティングラインにおいて、前記２つのジャーナルの一方のジャーナルの前記ねじ山は、第１のピッチ方向を画定し、前記２つのジャーナルの他方のジャーナルの前記ねじ山は、第２のピッチ方向を画定するものである、鋼コーティングライン。
【請求項５】
請求項４記載の鋼コーティングラインにおいて、前記第１のピッチ方向は、前記第２のピッチ方向に対して反対方向になっており、それにより、各ローラスリーブの前記ねじ山は、前記ロールが所定の方向に回転される際、対応するジャーナルの前記ねじ山によって係合状態を維持するように構成されているものである、鋼コーティングライン。
【請求項６】
請求項４記載の鋼コーティングラインにおいて、前記第１のピッチ方向は、右方向のねじ山に対応し、前記第２のピッチ方向は、左方向のねじ山に対応するものである、鋼コーティングライン。
【請求項７】
請求項１記載の鋼コーティングラインにおいて、各ジャーナルは、正方形の横断面形状を画定し、各ローラスリーブの前記開口部は、各ジャーナルの前記形状に対応する形状を画定するものである、鋼コーティングライン。
【請求項８】
請求項１記載の鋼コーティングラインにおいて、各ジャーナルは、円柱形状を画定し、各ローラスリーブの前記開口部は、各ジャーナルの前記円柱形状に対応する円柱形状を画定するものである、鋼コーティングライン。
【請求項９】
請求項１記載の鋼コーティングラインにおいて、前記一対のローラスリーブの各ローラスリーブは、セラミック材料を含むものである、鋼コーティングライン。
【請求項１０】
請求項９記載の鋼コーティングラインにおいて、前記セラミック材料は、前記溶融材料に浸漬されたときに実質的に不活性である、鋼コーティングライン。
【請求項１１】
請求項９記載の鋼コーティングラインにおいて、前記セラミック材料は、低熱膨張係数を有するものである、鋼コーティングライン。
【請求項１２】
請求項９記載の鋼コーティングラインにおいて、前記セラミック材料は、前記溶融金属の湿潤に耐性を有するように構成されているものである、鋼コーティングライン。
【請求項１３】
請求項９記載の鋼コーティングラインにおいて、前記セラミック材料は、ＳｉＡｌＯＮセラミックを含むものである、鋼コーティングライン。
【請求項１４】
請求項１記載の鋼コーティングラインにおいて、前記ロールは、前記ロールの外側面と前記ディップ槽を通って移動する鋼シートとの間の摩擦によって回転されるものである、鋼コーティングライン。
【請求項１５】
請求項１記載の鋼コーティングラインにおいて、前記一対のベアリングブロックの各ベアリングブロックは、セラミック材料を含むものである、鋼コーティングライン。
【請求項１６】
鋼コーティングラインに使用されるローラアセンブリであって、溶融金属に浸漬するように構成され、
（ａ）回転部分と、前記回転部分から軸方向に延在する少なくとも１つのジャーナルとを含むロールと、
（ｂ）開口部を内部に画定するベアリングブロックと、
（ｃ）前記ベアリングブロックと前記ロールの前記少なくとも１つのジャーナルとの間に画定された前記ベアリングブロックの開口部内に配置されたローラスリーブであって、前記ベアリングブロックに対して回転して前記少なくとも１つのジャーナルの摩損を低減するように構成されており、前記ローラスリーブの内面と前記少なくとも１つのジャーナルの外面との間に間隙を画定するものである、前記ローラスリーブと
を有するローラアセンブリ。
【請求項１７】
請求項１６記載のローラアセンブリにおいて、前記ローラスリーブの前記内面と前記少なくとも１つのジャーナルの前記外面との間の前記間隙は、前記ロールに対する前記ローラスリーブの少なくとも所定の横移動を可能にするようなサイズに設定されているものである、ローラアセンブリ。
【請求項１８】
請求項１７記載のローラアセンブリにおいて、前記ローラスリーブの前記内面と前記少なくとも１つのジャーナルの前記外面との間の前記間隙は、前記ローラスリーブの前記内面と前記少なくとも１つのジャーナルの前記外面との間に溶融金属が侵入することを防止するようなサイズに設定されているものである、ローラアセンブリ。
【請求項１９】
請求項１６記載のローラアセンブリにおいて、前記ローラスリーブおよび前記少なくとも１つのジャーナルは、それぞれ相補的な結合機構を含み、前記相補的な結合機構は、前記少なくとも１つのジャーナルと前記ローラスリーブとの間の対応する回転を促進するように構成されているものである、ローラアセンブリ。
【請求項２０】
溶融金属に浸漬されるように構成されたローラアセンブリであって、
（ａ）円柱状のローラであって、回転部分と、前記回転部分から軸方向に延在するジャーナルとを含むものである、前記ローラと、
（ｂ）前記ローラの前記ジャーナルを受け入れるように構成されたベアリングブロックと、
（ｃ）複数のインサートであって、各インサートは、前記ベアリングブロックの内部であって前記ベアリングブロックの内側面と前記ロールの前記ジャーナルとの間に配置され、前記インサートは、前記ジャーナルを溶融アルミニウムによる腐食および摩損から保護しながら、前記ベアリングブロックに対して回転するように構成され、各インサートは、前記ジャーナルの外面に固定して取り付けられるものである、前記複数のインサートと
を有するローラアセンブリ。